(57)【要約】【課題】  透光部材の発光状態を従来よりも分かり易くすることが可能な遊技機の提供を目的とする。【解決手段】  本発明のパチンコ遊技機１０によれば、透光部材１００の前方と側方との両方から発光状態を視認可能となるので、従来よりも透光部材１００の発光状態が分かり易くなる。また、透光部材１００は、普通図柄２４Ａ，２４Ｂの変動表示の保留数に応じて点灯する保留ＬＥＤ２５の光を受けて発光状態となるので、遊技者は、普通図柄２４Ａ，２４Ｂの変動表示の保留数を認識し易くなる。【選択図】  図１０
2006223534.tif 000002
【特許請求の範囲】
【請求項１】
透光部材の後面側に備えた入射面に発光素子を対向配置し、その発光素子の点灯により前記透光部材の前面側に備えた出射面を発光状態にする電飾装置を備え、
前記出射面は、前記透光部材の前後方向に対して斜め側方を向いた側部発光部のみで構成されたことを特徴とする遊技機。
【請求項２】
透光部材の後面側に備えた入射面に発光素子を対向配置し、その発光素子の点灯により前記透光部材の前面側に備えた出射面を発光状態にする電飾装置を備え、
前記出射面は、前記透光部材の前後方向に対して斜め側方を向いた側部発光部及び前記透光部材の前後方向における前方を向いた前部発光部のみで構成されたことを特徴とする遊技機。
【請求項３】
前記透光部材は、その前後方向における長さが前後方向に直交する他の方向における長さよりも長い軸構造をなしかつ前記出射面を含む前記透光部材の前端部は、先細り形状であることを特徴とする請求項１又は２に記載の遊技機。
【請求項４】
前記出射面を含む前記透光部材の前端部は、円錐形状或いは多角錐形状であることを特徴とする請求項１に記載の遊技機。
【請求項５】
前記出射面を含む前記透光部材の前端部は、円錐台形状であることを特徴とする請求項２に記載の遊技機。
【請求項６】
前記電飾装置は遊技機の前方を向いた配設面に設けられ、前記透光部材はその前後方向が前記配設面に対して直交するように配設されたことを特徴とする請求項１乃至５の何れかに記載の遊技機。
【請求項７】
前記入射面は、凹状に湾曲した曲面であることを特徴とする請求項１乃至６の何れかに記載の遊技機。
【請求項８】
前記入射面は、凸状に湾曲した曲面であることを特徴とする請求項１乃至６の何れかに記載の遊技機。
【請求項９】
前記入射面は、平面であることを特徴とする請求項１乃至６の何れかに記載の遊技機。
【請求項１０】
前記入射面は、平面、凹状に湾曲した曲面、凸状に湾曲した曲面のうちの少なくとも２つの面で構成されたことを特徴とする請求項１乃至６の何れかに記載の遊技機。
【請求項１１】
前記発光素子の光が前記入射面の全体に照射されるように構成したことを特徴とする請求項１乃至１０の何れかに記載の遊技機。
【請求項１２】
前記透光部材には、前記入射面から入射した光を反射して前記出射面に向ける中継反射面が備えられたことを特徴とする請求項１乃至１１の何れかに記載の遊技機。
【請求項１３】
前記透光部材の外面のうち前記中継反射面に隣接し、前記入射面から入射した光を反射して前記出射面に向ける光反射部材を備えたことを特徴とする請求項１２に記載の遊技機。
【請求項１４】
前記発光素子が実装された回路基板と、
前記回路基板の前面側に配置された取付部材とを備え、
前記透光部材は、前記取付部材に形成された光挿通孔に嵌合されたことを特徴とする請求項１乃至１３の何れかに記載の遊技機。
【請求項１５】
前記取付部材は、不透明な部材で構成されたことを特徴とする請求項１４に記載の遊技機。
【請求項１６】
前記透光部材の外面と前記光挿通孔の内面とには、前記透光部材が前記光挿通孔に嵌合された状態において互いに凹凸係合する凹凸部が設けられたことを特徴とする請求項１４又は１５に記載の遊技機。
【請求項１７】
前記透光部材は、側方に張り出したフランジ部を備え、
前記取付部材の前方には、前記フランジ部を前記光挿通孔の縁部との間で挟持する押さえ部材が設けられたことを特徴とする請求項１４乃至１６の何れかに記載の遊技機。
【請求項１８】
前記側部発光部を側方から囲む壁部材が設けられたことを特徴とする請求項１乃至１７の何れかに記載の遊技機。
【請求項１９】
前記壁部材のうち前記側部発光部側の面は鏡面仕上げが施されたことを特徴とする請求項１８に記載の遊技機。
【請求項２０】
所定条件が成立した場合に、通常の遊技とは異なる特定遊技を行うように構成され、前記発光素子は、前記特定遊技が実行されるときに点灯するように構成されたことを特徴とする請求項１乃至１９の何れかに記載の遊技機。
【請求項２１】
前記発光素子は複数並べて配置され、
所定条件が成立した場合に１回の特典遊技を実行すると共に、前記１回の特典遊技の実行中に前記所定条件が成立した場合にその所定条件の成立による前記特典遊技を直ちに実行せずに一時的に保留するように構成され、
保留された前記特典遊技の数を、複数並べて配置された前記発光素子の点灯数によって表示するようにしたことを特徴とする請求項１乃至２０の何れかに記載の遊技機。
【請求項２２】
前記透光部材の内部で前記入射面と前記出射面との間には、閉塞された空間部が設けられたことを特徴とする請求項１乃至２１の何れかに記載の遊技機。
【発明の詳細な説明】
【技術分野】
【０００１】
本発明は、遊技機に関する。
【背景技術】
【０００２】
従来より、光による演出を行う電飾装置を備えた遊技機が備えられている。電飾装置は、ＬＥＤ等の発光素子の外側を透光部材で覆った構造をなし、発光素子の光は透光部材を透過して外部に出射するようになっている（例えば、特許文献１参照）。
【特許文献１】特開２００３−８１４号公報（段落［００２３］、［００２４］、図１）
【発明の開示】
【発明が解決しようとする課題】
【０００３】
しかしながら、上述した従来の電飾装置では、透光部材を側方から見た場合に発光状態が分かり難いという問題があった。
【０００４】
本発明は、上記事情に鑑みてなされたもので、透光部材の発光状態を従来よりも分かり易くすることが可能な遊技機の提供を目的とする。
【課題を解決するための手段】
【０００５】
上記目的を達成するためになされた請求項１の発明に係る遊技機は、透光部材の後面側に備えた入射面に発光素子を対向配置し、その発光素子の点灯により透光部材の前面側に備えた出射面を発光状態にする電飾装置を備え、出射面は、透光部材の前後方向に対して斜め側方を向いた側部発光部のみで構成されたところに特徴を有する。
【０００６】
請求項２の発明に係る遊技機は、透光部材の後面側に備えた入射面に発光素子を対向配置し、その発光素子の点灯により透光部材の前面側に備えた出射面を発光状態にする電飾装置を備え、出射面は、透光部材の前後方向に対して斜め側方を向いた側部発光部及び透光部材の前後方向に対して直交した前部発光部のみで構成されたところに特徴を有する。
【０００７】
請求項３の発明は、請求項１又は２に記載の遊技機において、透光部材は、その前後方向における長さが前後方向に直交する他の方向における長さよりも長い軸構造をなしかつ出射面を含む透光部材の前端部は、先細り形状であるところに特徴を有する。
【０００８】
請求項４の発明は、請求項１に記載の遊技機において、出射面を含む透光部材の前端部は、円錐形状或いは多角錐形状であるところに特徴を有する。
【０００９】
請求項５の発明は、請求項２に記載の遊技機において、出射面を含む透光部材の前端部は、円錐台形状であるところに特徴を有する。
【００１０】
請求項６の発明は、請求項１乃至５の何れかに記載の遊技機において、電飾装置は遊技機の前方を向いた配設面に設けられ、透光部材はその前後方向が配設面に対して直交するように配設されたところに特徴を有する。
【００１１】
請求項７の発明は、請求項１乃至６の何れかに記載の遊技機において、入射面は、凹状に湾曲した曲面であるところに特徴を有する。
【００１２】
請求項８の発明は、請求項１乃至６の何れかに記載の遊技機において、入射面は、凸状に湾曲した曲面であるところに特徴を有する。
【００１３】
請求項９の発明は、請求項１乃至６の何れかに記載の遊技機において、入射面は、平面であるところに特徴を有する。
【００１４】
請求項１０の発明は、請求項１乃至６の何れかに記載の遊技機において、入射面は、平面、凹状に湾曲した曲面、凸状に湾曲した曲面のうちの少なくとも２つの面で構成されたところに特徴を有する。
【００１５】
請求項１１の発明は、請求項１乃至１０の何れかに記載の遊技機において、発光素子の光が入射面の全体に照射されるように構成したところに特徴を有する。
【００１６】
請求項１２の発明は、請求項１乃至１１の何れかに記載の遊技機において、透光部材には、入射面から入射した光を反射して出射面に向ける中継反射面が備えられたところに特徴を有する。
【００１７】
請求項１３の発明は、請求項１２に記載の遊技機において、透光部材の外面のうち中継反射面に隣接し、入射面から入射した光を反射して出射面に向ける光反射部材を備えたところに特徴を有する。
【００１８】
請求項１４の発明は、請求項１乃至１３の何れかに記載の遊技機において、発光素子が実装された回路基板と、回路基板の前面側に配置された取付部材とを備え、透光部材は、取付部材に形成された光挿通孔に嵌合されたところに特徴を有する。
【００１９】
請求項１５の発明は、請求項１４に記載の遊技機において、取付部材は、不透明な部材で構成されたところに特徴を有する。
【００２０】
請求項１６の発明は、請求項１４又は１５に記載の遊技機において、透光部材の外面と光挿通孔の内面とには、透光部材が光挿通孔に嵌合された状態において互いに凹凸係合する凹凸部が設けられたところに特徴を有する。
【００２１】
請求項１７の発明は、請求項１４乃至１６の何れかに記載の遊技機において、透光部材は、側方に張り出したフランジ部を備え、取付部材の前方には、フランジ部を光挿通孔の縁部との間で挟持する押さえ部材が設けられたところに特徴を有する。
【００２２】
請求項１８の発明は、請求項１乃至１７の何れかに記載の遊技機において、側部発光部を側方から囲む壁部材が設けられたところに特徴を有する。
【００２３】
請求項１９の発明は、請求項１８に記載の遊技機において、壁部材のうち側部発光部側の面は鏡面仕上げが施されたところに特徴を有する。
【００２４】
請求項２０の発明は、請求項１乃至１９の何れかに記載の遊技機において、所定条件が成立した場合に、通常の遊技とは異なる特定遊技を行うように構成され、発光素子は、特定遊技が実行されるときに点灯するように構成されたところに特徴を有する。
【００２５】
請求項２１の発明は、請求項１乃至２０の何れかに記載の遊技機において、発光素子は複数並べて配置され、所定条件が成立した場合に１回の特典遊技を実行すると共に、１回の特典遊技の実行中に所定条件が成立した場合にその所定条件の成立による特典遊技を直ちに実行せずに一時的に保留するように構成され、保留された特典遊技の数を、複数並べて配置された発光素子の点灯数によって表示するようにしたところに特徴を有する。
【００２６】
請求項２２の発明は、請求項１乃至２１の何れかに記載の遊技機において、透光部材の内部で入射面と出射面との間には、閉塞された空間部が設けられたところに特徴を有する。
【発明の効果】
【００２７】
［請求項１〜５，９の発明］
上記のように構成した請求項１及び２に係る発明によれば、透光部材の前方と側方との両方から発光状態を視認可能となるので、従来よりも発光状態が分かり易くなる。ここで、透光部材は、その前後方向における長さが前後方向に直交する他の方向における長さよりも長い軸構造をなしかつ出射面を含む透光部材の前端部は、先細り形状であることが好ましい（請求項３の発明）。具体的には、出射面を含む透光部材の前端部は、円錐形状或いは多角錐形状とすればよい（請求項４の発明）。また、出射面を含む透光部材の前端部は、円錐台形状としてもよい（請求項５の発明）。さらに、入射面は、平面としてもよい（請求項９の発明）。
【００２８】
［請求項６の発明］
請求項６の発明によれば、遊技機の前方を向いた配設面に対峙して遊技を行う遊技者は、透光部材の前方と側方との両方から発光状態を視認可能となる。
【００２９】
［請求項７の発明］
請求項７の発明によれば、入射面から入射した光を、透光部材の内部で側方に向けて広げることができる。
【００３０】
［請求項８の発明］
請求項８の発明によれば、入射面から入射した光を、透光部材の内側に向けて屈折させることができる。例えば、入射面から入射した光を、透光部材の内部で集光させてから側方に向けて広げることができる。また、透光部材に入射するまでの間に側方に広がった光を透光部材の軸線と略平行な方向に向けることができる。
【００３１】
［請求項１０の発明］
請求項１０の発明によれば、入射面から入射した光を、透光部材の内部で側方に向けて広げたり、透光部材の内側に向けて屈折させたりすることで、透光部材の内部における光の進路を複雑にすることができる。
【００３２】
［請求項１１の発明］
請求項１１の発明によれば、入射面の全体に発光素子の光を当てることができ、透光部材をより明るく発光させることができる。
【００３３】
［請求項１２の発明］
請求項１２の発明によれば、入射面から入射した光が中継反射面で反射して出射面に向かうので、出射面における発光状態をより明るくすることができる。
【００３４】
［請求項１３の発明］
請求項１３の発明によれば、入射面から透光部材に入射した光が、透光部材の外面に隣接した光反射部材に反射して出射面に向かうので、出射面における発光状態をより明るくすることができる。
【００３５】
［請求項１４の発明］
請求項１４の発明によれば、透光部材の入射面を発光素子と対向した位置に位置決めすることができる。
【００３６】
［請求項１５の発明］
請求項１５の発明によれば、発光素子から出射された光が取付部材を透過して出射されることが防止される。
【００３７】
［請求項１６の発明］
請求項１６の発明によれば、光挿通孔に嵌合された透光部材を回り止めすることができる。ここで、透光部材の外面に凸部を設けることで、光挿通孔ではない孔へ挿入できないようにすることも可能である。
【００３８】
［請求項１７の発明］
請求項１７の発明によれば、フランジ部を取付部材と押さえ部材とで挟持して透光部材の光挿通孔からの抜け止めが図られる。
【００３９】
［請求項１８の発明］
請求項１８の発明によれば、壁部材によって側部発光部の周りが暗くなるので、側部発光部から出射する光を明るく見せることができる。
【００４０】
［請求項１９の発明］
請求項１９の発明によれば、側部発光部から出射する光を壁部材に反射させて、華やかな発光演出を行うことができる。
【００４１】
［請求項２０の発明］
請求項２０の発明によれば、特定遊技が実行されているか否かを遊技者に明確に認識させることができる。
【００４２】
［請求項２１の発明］
請求項２１の発明によれば、保留されている特典遊技の数を遊技者に明確に認識させることができる。
【００４３】
［請求項２２の発明］
請求項２２の発明によれば、透光部材の内部を進む光を空間部にて屈折させることが可能となる。
【発明を実施するための最良の形態】
【００４４】
以下、本発明を適用したパチンコ遊技機１０に係る一実施形態を、図１〜図１０に基づいて説明する。図１に示すように、本実施形態のパチンコ遊技機１０の遊技盤１１には、ガイドレール１２で囲まれたほぼ円形の遊技領域Ｒ１が形成され、中央部には、表示装置１３が備えられている。遊技領域Ｒ１のうち表示装置１３の下方には、始動入賞口１４、大入賞口１５及び外れ球受け入れ口１６が、上から順に間隔を開けて並べて設けられている。また、遊技領域Ｒ１のうち表示装置１３等を挟んだ左右の両側には、上から順に、ランプ風車１７、始動ゲート１８、風車１９が設けられている。始動入賞口１４及び大入賞口１５の左側方には、ガイドレール１２に沿ってサイドランプ２２及び一般入賞口２０，２１が設けられ、右側方には、電飾ユニット４０が設けられている。さらに、遊技領域Ｒ１全体に亘って、図示しない複数の障害釘が起立している。なお、電飾ユニット４０が本発明の「電飾装置」に相当し、電飾ユニット４０が配された遊技盤１１の前面が本発明の「配設面」に相当する。
【００４５】
図１に示すように、パチンコ遊技機１０のうち、遊技盤１１より上方には、遊技盤１１の前面側に張り出した装飾ランプ９０が設けられている。パチンコ遊技機１０のうち遊技盤１１より下方には、上皿２７Ａ及び下皿２７Ｂが上下２段にして設けられている。上皿２７Ａの両側には、スピーカ５０Ｓが備えられている。また、上皿２７Ａに備えたボタン２９を押せば、上皿２７Ａから下皿２７Ｂに遊技球が移動して収容される。下皿２７Ｂの右端部に設けた操作ノブ２８を操作することで、上皿２７Ａに収容された遊技球が遊技盤１１に向けて弾き出されて遊技が開始される。
【００４６】
次に所要の各部位についてさらに詳説する。
始動ゲート１８は、遊技球が潜って通過可能な門形構造をなし、通過した遊技球は、その始動ゲート１８に内蔵したゲートスイッチによって検出される。そして、その検出信号に基づいて、後述するように普通図柄表示装置２４において普通図柄２４Ａ，２４Ｂが変動表示される。
【００４７】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、後述する始動口開放条件が成立すると、遊技盤１１の裏に設けたソレノイドが駆動され、可動翼片１４Ｃ，１４Ｃが所定期間（例えば、０．４秒）に亘って横に倒される。これにより、遊技球が可動翼片１４Ｃ，１４Ｃに案内されて始動入賞口１４に入り易くなる。
【００４８】
始動入賞口１４に遊技球が入賞すると、始動入賞口１４内に設けた始動口センサが遊技球を検出し、その検出信号に基づいて表示装置１３が後述するように図柄を変動表示する。また、所定数の賞球が上皿２７Ａに払い出される。
【００４９】
大入賞口１５は、横長に形成されて、常には可動扉１５Ｔにて閉塞されて、遊技球が入賞できない状態となっている。そして、所謂「大当たり遊技」が実行されると、遊技盤１１の裏に設けた大入賞口用ソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が２９秒に達したか、又は、大入賞口１５に遊技球が１０個入賞したか、の何れかの条件が先に満たされた場合に終了する。
【００５０】
大入賞口１５の内部には、図示しない継続入賞口と計数入賞口とが設けられており、これら継続入賞口及び計数入賞口は、選択的に何れか一方が開放される。より詳細には、可動扉１５Ｔが開いたときには、最初は継続入賞口が開放しており、継続入賞口に入賞後、継続入賞口は閉鎖し、計数入賞口の開放に切り替わる。そして、継続入賞口に入賞があると、これが継続入賞口内に設けた継続スイッチに検出されて、前述した終了条件を満たしてラウンドが終了した後で、連続して次のラウンドが実行される。また、計数入賞口に入賞があると、これが計数入賞口内に設けたカウントスイッチに検出されて、前記継続入用口への入賞球と合わせて、大入賞口１５への入賞球がカウントされ、これらが前記したように計１０個に達したか否かがチェックされる。なお、本実施形態では、連続して実行されるラウンドの回数は最高１５回に設定されている。
【００５１】
表示装置１３は、全体として枠形構造をなした表示枠体２３の後端面に、図示しない液晶モジュール（詳細には、ＴＦＴ−ＬＣＤモジュール）を組み付けてなる。液晶モジュールのうち表示枠体２３によって取り囲まれた前面部分は、液晶画面３４となっており、遊技者は、表示枠体２３を通して液晶画面３４に表示された画像を見ることができる。
【００５２】
表示枠体２３は、遊技盤１１に形成された図示しない取付窓に嵌め込まれて、周縁部から張り出したフランジ部を遊技盤１１面に突き当てて固定されている。表示枠体２３の上辺部分と両側辺部分は、遊技盤１１から前方に突出している。これにより、液晶画面３４の前側を遊技球が流下することが規制されると共に、表示枠体２３の上方及び側方から表示枠体２３の内側へ遊技球が直接進入しないように規制されている。
【００５３】
液晶画面３４には、図１に示すように、通常は、３つの特別図柄１３Ａ，１３Ｂ，１３Ｃが横並びに停止表示されている。以下、これら各特別図柄を区別するときには、図１の左側のものから順番に、「左特別図柄１３Ａ」、「中特別図柄１３Ｂ」、「右特別図柄１３Ｃ」と呼ぶこととする。
【００５４】
各特別図柄１３Ａ，１３Ｂ，１３Ｃは、例えば、「０」〜「１１」の数字を表記した複数種類のもので構成されており、通常は、各特別図柄ごと、所定の種類のものが、液晶画面３４に停止表示されている。そして、始動入賞口１４に遊技球が入賞したときに当否判定し、各特別図柄１３Ａ，１３Ｂ，１３Ｃが、上下方向にスクロールして変動表示され、所定時間後に、例えば、左特別図柄１３Ａ、右特別図柄１３Ｃ、中特別図柄１３Ｂの順で各特別図柄が停止表示される。このとき、例えば、全ての特別図柄１３Ａ，１３Ｂ，１３Ｃが同じ図柄、即ち、ぞろ目になった場合（例えば、図１の状態）に、所謂、「大当たり遊技」が実行され、可動扉１５Ｔが開かれる。これにより、多くの遊技球が可動扉１５Ｔに案内されて、大入賞口１５に入球可能となる。
【００５５】
ここで、液晶画面３４において特別図柄１３Ａ，１３Ｂ，１３Ｃの何れかが変動表示している間、或いは、大当たり遊技の実行中に、始動入賞口１４に遊技球が入球した場合には、その入球に起因した特別図柄１３Ａ，１３Ｂ，１３Ｃの変動表示は直ちに行われず、一時的に保留される。本実施形態では、特別図柄１３Ａ，１３Ｂ，１３Ｃの変動表示は、最大で４回まで保留されるようになっている。そして、液晶画面３４において特別図柄１３Ａ，１３Ｂ，１３Ｃの変動表示が開始されるときに、保留数が１つ減らされて、保留数が０になるまでこの動作が繰り返される。なお、保留数は、表示装置１３の上辺両端部に２つずつ備えられた計４つの保留ランプ１３Ｓの点灯数でもって遊技者に報知される。
【００５６】
図１に示すように、電飾ユニット４０には、普通図柄表示装置２４が設けられている。普通図柄表示装置２４にて表示される普通図柄２４Ａ，２４Ｂは、例えば、「０」〜「９」の数字図柄で構成されており、通常は、図５に示すように、各普通図柄２４Ａ，２４Ｂごと、所定の種類のものが、停止表示されている。普通図柄２４Ａ，２４Ｂは、上述したように始動ゲート１８への遊技球の通過を起因に変動表示され、所定時間後に停止表示される。停止表示された２つの普通図柄２４Ａ，２４Ｂが、例えば、奇数のぞろ目（例えば、「７  ７」）になった場合に、前記した始動口開放条件が成立し、始動入賞口１４の可動翼片１４Ｃ，１４Ｃが横に倒される。なお、普通図柄表示装置２４で表示する図柄は、数字に限るものではなく、アルファベットや記号等でもよい。ここで、始動ゲート１８への遊技球の通過が、本発明の「所定条件の成立」に相当し、普通図柄２４Ａ，２４Ｂの変動表示が本発明の「特典遊技」に相当する。
【００５７】
また、普通図柄２４Ａ，２４Ｂが変動表示している間に遊技球が始動ゲート１８を通過した場合には、その通過に起因した普通図柄２４Ａ，２４Ｂの変動表示は直ちに行われず、一時的に保留される。本実施形態では、普通図柄２４Ａ，２４Ｂの変動表示は、最大で４回まで保留されるようになっている。そして、普通図柄２４Ａ，２４Ｂが停止表示されると、保留数が１つ減らされて、再度、普通図柄２４Ａ，２４Ｂの変動表示が開始され、保留数が０になるまでこの動作が繰り返される。ここで、保留数は、電飾ユニット４０に設けられた４つの保留ＬＥＤ２５（図６を参照）の点灯数によって遊技者に報知される。なお、保留ＬＥＤ２５は、本発明の「発光素子」に相当する。
【００５８】
図２に示すように、パチンコ遊技機１０の後面には、表示装置１３に重なるようにして表示制御装置５１が備えられ、表示制御装置５１の下側には、ランプ制御装置５２と音声制御装置５０とが横並びにして取り付けられている。また、これらランプ制御装置５２、音声制御装置５０及び表示制御装置５１の後側に重なるようにしてメイン制御装置５９が取り付けられている。これら各制御装置５０〜５２，５９は回路基板を主要部として備え、それぞれ透明な樹脂ケースに収容されている。
【００５９】
さらに、パチンコ遊技機１０の後面の所定箇所には、上記した各種制御装置５０〜５２，５９の他に電源装置５３、払出制御装置５４、受電装置５５、遊技球を貯留する遊技球タンク５６、遊技球を上皿２７Ａに払い出す払出装置５７、上皿２７Ａに貯留された遊技球を遊技領域Ｒ１に向けて発射するための発射装置５８等が設けられている。以上が、パチンコ遊技機１０全体の構成に関する説明である。
【００６０】
次に、保留ＬＥＤ２５及び普通図柄表示装置２４を備えた電飾ユニット４０の構成について詳説する。電飾ユニット４０は、図６に示すように、保留ＬＥＤ２５及び普通図柄表示装置２４を実装したＬＥＤ回路基板４６（本発明の「回路基板」に相当する）を含む複数の部材を、ベース部材４１の前面と後面とに分けて取り付けてなる。そして、遊技盤１１に形成された図示しない取付窓に嵌め込まれて、ベース部材４１の周縁部を遊技盤１１面に突き当てて固定されている。
【００６１】
まず、ＬＥＤ回路基板４６について説明すると、ＬＥＤ回路基板４６は、ベース部材４１の後面に重ねて取り付けられている。そして、ＬＥＤ回路基板４６のうち、ベース部材４１に対面した前面に、普通図柄表示装置２４、保留ＬＥＤ２５及び装飾ＬＥＤ２６が取り付けられている。
【００６２】
普通図柄表示装置２４は、ベース部材４１の一側部寄り位置に設けられ、例えば、左右に並んだ１対の７セグメントＬＥＤで構成されている。普通図柄表示装置２４の下方には、図示しないコネクタが前方に突設されており、このコネクタに電飾ユニット４０の後方から延びた図示しないハーネスが接続されている。
【００６３】
普通図柄表示装置２４の側方には、４つの保留ＬＥＤ２５（図６には、２つの保留ＬＥＤ２５だけが示されている）が備えられている。保留ＬＥＤ２５は、ＬＥＤ回路基板４６の中央部分において、例えば、円弧線上に並んで設けられている。
【００６４】
保留ＬＥＤ２５の側方には、６つの装飾ＬＥＤ２６が備えられている。これら装飾ＬＥＤ２６のうち、上側の２つの装飾ＬＥＤ２６Ａ（以下、「上装飾ＬＥＤ２６Ａ」という）は上下に並んで設けられており、下側の４つの装飾ＬＥＤ２６Ｂ（以下、「下装飾ＬＥＤ２６Ｂ」という）は、保留ＬＥＤ２５と同様に円弧線上に並んで設けられている（図６を参照）。ここで、各ＬＥＤ２５，２６は、発光部を内包した透明樹脂部分が有色透明（例えば、赤色透明）となっており、発光部の光が着色されるようになっている。
【００６５】
ＬＥＤ回路基板４６の外縁寄り部分には、複数（例えば３つ）のボス挿通孔４６Ａが貫通形成されている。以上が、ＬＥＤ回路基板４６の説明である。
【００６６】
ＬＥＤ回路基板４６の前面に備えたベース部材４１は、以下のようである。ベース部材４１は、例えば、半透明な黒色の合成樹脂（詳細には、ポリカーボネート樹脂）で構成され、ＬＥＤ回路基板４６よりも大きい平板状をなす。ベース部材４１のうち、ＬＥＤ回路基板４６の普通図柄表示装置２４と前後方向で対向した部分は、視認窓４２となっている。視認窓４２は、ベース部材４１の他の部分よりも薄肉となっており（図７を参照）、この視認窓４２を通して、普通図柄表示装置２４に表示された普通図柄２４Ａ，２４Ｂが視認可能となっている。
【００６７】
図６に示すように、ベース部材４１のうち、４つの保留ＬＥＤ２５と前後方向で対向した位置には、それぞれ保留ＬＥＤ対向孔４３が貫通形成されている。これら保留ＬＥＤ対向孔４３は何れも円形をなし、円弧線上に並んで形成されている。
【００６８】
保留ＬＥＤ対向孔４３の側方で、装飾ＬＥＤ２６との対向位置には装飾ＬＥＤ対向孔４８が形成されている。上装飾ＬＥＤ２６Ａに対向した２つの上装飾ＬＥＤ対向孔４８Ａは、互いに独立して設けられており、下装飾ＬＥＤ２６Ｂに対向した４つの下装飾ＬＥＤ対向孔４８Ｂは、互いに繋がっている。
【００６９】
視認窓４２の下方で、ＬＥＤ回路基板４６に備えたコネクタと対向した部分には、略矩形のコネクタ用開口４１Ｃが形成されている。図示しないが、コネクタ用開口４１Ｃからは、コネクタに接続されたハーネスの屈曲部分が外側に突出している。これにより、ハーネスがＬＥＤ回路基板４６とベース部材４１との間で過剰に屈曲して断線することが防止されている。
【００７０】
図７に示すように、ベース部材４１の後面からは、視認窓４２及び各ＬＥＤ対向孔４３，４８を囲むようにベース囲壁４４が起立している。ベース囲壁４４の外形は、ＬＥＤ回路基板４６の外形とほぼ同一形状をなしている。
【００７１】
ベース部材４１の後面からは、段付き状に縮径した円筒ボス４５が起立している。円筒ボス４５は、ベース囲壁４４に沿った複数箇所に分散配置され、ベース囲壁４４よりも後方に突出している。そして、円筒ボス４５の小径部がＬＥＤ回路基板４６に形成されたボス挿通孔４６Ａを貫通し、円筒ボス４５の周面に形成された段差部４５Ｄが、ＬＥＤ回路基板４６の前面に突き当たっている（図９を参照）。
【００７２】
図７に示すように、ベース囲壁４４の端面には突起部４４Ｔが形成されており、これら突起部４４ＴもＬＥＤ回路基板４６の前面に突き当てられている。ＬＥＤ回路基板４６は、これら段差部４５Ｄ及び突起部４４Ｔによって、ベース囲壁４４の端面から浮いた状態に位置決めされている。
【００７３】
なお、ベース部材４１のうち、ベース囲壁４４の外側には、ベース部材４１を遊技盤１１に螺子止めするための遊技盤固定孔４１Ａと、ベース部材４１の前面側に後述する各部材を固定するための前面部材固定孔４１Ｂとが形成されている。さらに、ベース部材４１の後面には、遊技盤１１に対する取付位置を位置決めするための位置決めピン４１Ｐが形成されている。以上が、ベース部材４１の説明である。
【００７４】
ＬＥＤ回路基板４６の後方には、ＬＥＤ回路基板４６の後面全体を覆う基板カバー４７が取り付けられている。基板カバー４７は扁平な袋構造をなし、扁平方向における一方側に開放している。詳細には、基板カバー４７は、ＬＥＤ回路基板４６の後面に対面した後壁４７Ｋと、その後壁４７Ｋの周縁部から前方、即ち、ＬＥＤ回路基板４６側に起立したカバー囲壁４７Ｓとから構成される。
【００７５】
後壁４７Ｋの上部には、横長の矩形開口４７Ｈが貫通形成されており、この矩形開口４７Ｈから、ＬＥＤ回路基板４６に接続された図示しないハーネスが、ＬＥＤ回路基板４６と基板カバー４７との間を通って基板カバー４７の外側に引き出されている。
【００７６】
図６に示すように、後壁４７Ｋのうち、カバー囲壁４７Ｓの内側には、前方に起立した複数のボス受容筒４９が形成されている。ボス受容筒４９は、円筒形状をなしカバー囲壁４７Ｓよりも前方に突出している。そして、ボス受容筒４９の内側にＬＥＤ回路基板４６（詳細には、ボス挿通孔４６Ａ）を貫通した円筒ボス４５が嵌合し、基板カバー４７の後側からボス受容筒４９に挿入された螺子４９Ａが円筒ボス４５の先端部に螺合している。これにより、ＬＥＤ回路基板４６と基板カバー４７とがベース部材４１の後面側に一体に固定されている（図４を参照）。また、これら円筒ボス４５、ボス挿通孔４６Ａ及びボス受容筒４９により、ベース部材４１に対するＬＥＤ回路基板４６及び基板カバー４７の取付位置が位置決めされている。
【００７７】
なお、図６に示すように、カバー囲壁４７Ｓの端面には複数の突起部４７Ｔが形成されている。これら突起部４７Ｔは、ベース部材４１のベース囲壁４４に形成された突起部４４Ｔと前後方向で対向する位置に設けられており、ＬＥＤ回路基板４６と基板カバー４７とがベース部材４１に螺子止めされると、ＬＥＤ回路基板４６の後面に突き当たるようになっている。即ち、ベース囲壁４４に備えた突起部４４Ｔと、カバー囲壁４７Ｓに備えた突起部４７Ｔとで、ＬＥＤ回路基板４６が前後方向（板厚方向）で挟持されている。
【００７８】
次にベース部材４１の前面側に固定される各部材について説明する。
ベース部材４１の前面には、前記保留ＬＥＤ２５の前方に対向配置されて光が透過する透光部材１００が備えられている。後に詳説するが、透光部材１００は軸構造をなしており、取付部材６０と押さえ部材７０とによってその軸線Ｊ（図８を参照）がパチンコ遊技機１０の前後方向（図１及び図５における紙面に直交する方向）を向くように保持されている。即ち、透光部材１００の前後方向を向いた軸線Ｊが、電飾ユニット４０が配設された遊技盤１１の前面（本発明の「配設面」に相当する）に対して直交している。そして、これら取付部材６０と押さえ部材７０とが、透光部材１００を保持した状態で固定部材８０によりベース部材４１に固定されている。
【００７９】
まず、取付部材６０について説明すると、取付部材６０は、全体が不透明な部材（例えば、黒色のポリカーボネート樹脂）で構成されている。取付部材６０は、ベース部材４１の前面に重ねられた敷設板６１の後面に複数のＬＥＤ収容筒６３Ｔ，６４Ｔを備えた構造をなす。
【００８０】
図７に示すように、敷設板６１の保留ＬＥＤ２５と前後方向で対向した部分には、円筒形状をなした４つの保留ＬＥＤ収容筒６４Ｔが形成されている。また、下装飾ＬＥＤ２６Ｂに対向した部分には、円筒形状をなした４つの下装飾ＬＥＤ収容筒６３Ｔが形成されている。
【００８１】
これら各ＬＥＤ収容筒６３Ｔ，６４Ｔは、何れも敷設板６１の後面から起立しかつ前後方向に開口している。各ＬＥＤ収容筒６３Ｔ，６４Ｔは、それぞれベース部材４１に形成された保留ＬＥＤ対向孔４３及び装飾ＬＥＤ対向孔４８Ｂに嵌合しかつベース部材４１の後面側に突出している。また、各ＬＥＤ収容筒６４Ｔ，６３Ｔの後端部は、ＬＥＤ回路基板４６の前面近傍まで延びており、ＬＥＤ回路基板４６に備えられた各ＬＥＤ２５，２６Ｂの先端部分がＬＥＤ収容筒６３Ｔ，６４Ｔの内部に収容されている（図９を参照）。これにより、各ＬＥＤ収容筒６３Ｔ，６４Ｔの内側空間には、対向配置されたＬＥＤ以外の他のＬＥＤからの光が入らないようになっている。
【００８２】
即ち、下装飾ＬＥＤ２６Ｂを収容した下装飾ＬＥＤ収容筒６３Ｔの内側空間は、対向配置された１つの下装飾ＬＥＤ２６Ｂからの光が通過するようになっており、保留ＬＥＤ２５を収容した保留ＬＥＤ収容筒６４Ｔの内部空間は、対向配置された１つの保留ＬＥＤ２５からの光が通過するようになっている。ここで、取付部材６０は不透明な部材で構成されているので、ＬＥＤ２５，２６Ｂの光が取付部材６０を透過することはない。
【００８３】
また、ＬＥＤ収容筒６３Ｔ，６４Ｔを、ベース部材４１の各対向孔４３，４８Ｂに嵌合することで、取付部材６０のベース部材４１に対する取付位置を位置決めすることができる。
【００８４】
図６及び図７に示すように、保留ＬＥＤ収容筒６４Ｔの内面には、係合溝部６４Ｍが形成されている。係合溝部６４Ｍは、保留ＬＥＤ収容筒６４Ｔの軸線方向に延びている。保留ＬＥＤ収容筒６４Ｔの内側には、後述する透光部材１００の後端部分（詳細には、嵌合部１００Ａ）が嵌合されている。これにより、透光部材１００が保留ＬＥＤ２５の前方に対向配置され（保留ＬＥＤ２５が透光部材１００の軸線Ｊ上に配置され）、保留ＬＥＤ２５からの光が、保留ＬＥＤ収容筒６４Ｔを通って透光部材１００に照射されるようになっている。ここで、保留ＬＥＤ収容筒６４Ｔの内部空間は、本発明の「光挿通孔」に相当する。
【００８５】
なお、後に詳説するが、透光部材１００にはフランジ部１０１が備えられており、透光部材１００が保留ＬＥＤ収容筒６４Ｔに嵌合されると、このフランジ部１０１が保留ＬＥＤ収容筒６４Ｔの前端開口縁に突き当たり、透光部材１００の前端部分（詳細には、光出射部１００Ｂ）が保留ＬＥＤ収容筒６４Ｔから突出すると共に、後端部分が保留ＬＥＤ２５から離れて配置されるようになっている。
【００８６】
以上が、取付部材６０の説明であって、次に押さえ部材７０について説明する。押さえ部材７０は、取付部材６０と同様に不透明な部材（詳細には、黒色のポリカーボネート樹脂）で構成されている。押さえ部材７０は、取付部材６０の前面を覆った前面構成板７０Ｋと前面構成板７０Ｋの周縁部から後方に起立した側壁部７０Ｈとから構成され（図７を参照）、側壁部７０Ｈは取付部材６０の上下辺及び右側辺を囲んでいる。前面構成板７０Ｋの後面は全体として平坦面をなし取付部材６０の前面に面当接している。また、側壁部７０Ｈの後端部はベース部材４１の前面に突き当てられている（図９を参照）。
【００８７】
前面構成板７０Ｋのうち、上装飾ＬＥＤ２６Ａに対向した部分には、円筒形状の上装飾ＬＥＤ収容筒７３が形成されている。上装飾ＬＥＤ収容筒７３は、前面構成板７０Ｋの後面から起立して前後方向に開口している。
【００８８】
上装飾ＬＥＤ収容筒７３は、取付部材６０の側方を通ってベース部材４１の上装飾ＬＥＤ対向孔４８Ａに嵌合しかつ、後端部がＬＥＤ回路基板４６の前面近傍まで延びている。そして、上装飾ＬＥＤ収容筒７３の内側に上装飾ＬＥＤ２６Ａの先端部分が収容されている。これにより、上装飾ＬＥＤ収容筒７３の内側空間には、対向配置された１つの上装飾ＬＥＤ２６Ａ以外の他のＬＥＤからの光が入らないようになっている。ここで、押さえ部材７０は、不透明な部材で構成されているので、上装飾ＬＥＤ２６Ａの光が押さえ部材７０を透過することはない。
【００８９】
前面構成板７０Ｋのうち、下装飾ＬＥＤ２６Ｂと対向した部分には、それぞれ異形孔７４が形成されている。これら異形孔７４は、例えば、遊技内容に対応じたデザイン形状となっている。そして、下装飾ＬＥＤ２６Ｂの光は、下装飾ＬＥＤ収容筒６３Ｔの内側を通って、これら異形孔７４からパチンコ遊技機１０の前方に照射されるようになっている。
【００９０】
図７に示すように、前面構成板７０Ｋのうち、保留ＬＥＤ２５と対向した部分には、透光部材突出孔７５が貫通形成されている。これら透光部材突出孔７５から、保留ＬＥＤ収容筒６４Ｔに嵌合された透光部材１００の前端部分（詳細には、光出射部１００Ｂ）が、パチンコ遊技機１０の前方に突出している。そして、透光部材突出孔７５の開口縁と保留ＬＥＤ収容筒６４Ｔの前端開口縁とで透光部材１００のフランジ部１０１が挟持されている。ここで、図９に示すように、透光部材突出孔７５の開口縁には段付き状の凹所７５Ｇが形成され、ここにフランジ部１０１が収容されるようになっている。
【００９１】
なお、押さえ部材７０の後面の上下２箇所には、ピン孔７７，７７が陥没形成され（図７には、下側のピン孔７７のみが示されている）、これらピン孔７７に、ベース部材４１の前面から起立した位置決めピン６６，６６（図６を参照）が凹凸係合している。これにより、押さえ部材７０のベース部材４１に対する取付位置が位置決めされている。また、押さえ部材７０の下端部には、ベース部材４１の前面部材固定孔４１Ｂと整合したボス挿通孔７６が貫通形成されている。
【００９２】
以上が、押さえ部材７０の説明である。次に、固定部材８０について説明する。固定部材８０は、例えば、合成樹脂（詳細には、ＡＢＳ樹脂）で構成され、表面の全体に鏡面仕上げ（例えば、銀メッキ）が施されている。
【００９３】
固定部材８０は、押さえ部材７０のうち、異形孔７４と透光部材突出孔７５の周辺部分以外の部分と重なるようにして取り付けられている（図５を参照）。また、固定部材８０は、ベース部材４１に形成された視認窓４２と、押さえ部材７０から突出した透光部材１００の前端部分（詳細には、光出射部１００Ｂ）の側方とを囲むようにベース部材４１の前方に張り出している。ここで、固定部材８０は、本発明の「壁部材」に相当する。
【００９４】
図７に示すように、固定部材８０のうち、上装飾ＬＥＤ２６Ａと対向した部分には、上装飾ＬＥＤ延長筒８２が形成されている。上装飾ＬＥＤ延長筒８２は、固定部材８０の前面壁から後方に延びかつ前後方向に開口している。そして、上装飾ＬＥＤ延長筒８２の後端部が押さえ部材７０の前面に当接して、上装飾ＬＥＤ収容筒７３の内部空間と上装飾ＬＥＤ延長筒８２の内部空間とが連通している。これにより、上装飾ＬＥＤ２６Ａからの光は、上装飾ＬＥＤ収容筒７３及び上装飾ＬＥＤ延長筒８２の内側を通って上装飾ＬＥＤ延長筒８２の前端開口８２Ｋから前方に照射されるようになっている。ここで、上装飾ＬＥＤ延長筒８２の前端開口８２Ｋは、透明板で塞がれている。
【００９５】
固定部材８０の上辺の両端部には、螺子孔８３，８３が形成されており、下端部には後方、即ち、押さえ部材７０に向かって起立した円筒ボス８４が形成されている。そして、固定部材８０の上辺をベース部材４１の前面に突き当て、円筒ボス８４を押さえ部材７０のボス挿通孔７６に挿入した状態で、ベース部材４１の後面から前面部材固定孔４１Ｂを貫通した螺子を螺子孔８３，８３及び円筒ボス８４に螺合することで、取付部材６０と押さえ部材７０とが透光部材１００を保持した状態でベース部材４１の前面に固定される（図３を参照）。以上が、固定部材８０の説明である。
【００９６】
さて、上述した取付部材６０と押さえ部材７０とによって保持された透光部材１００を図８に基づいて説明する。透光部材１００は、例えば無色透明な合成樹脂で構成され、全体として軸構造をなしている。透光部材１００の後端部分は嵌合部１００Ａとなっており、前端部分は光出射部１００Ｂとなっている。そして、保留ＬＥＤ２５からの光は、保留ＬＥＤ２５に対面した後端面１００Ｔから入射し、透光部材１００の内部を透過して光出射部１００Ｂの表面から出射されるようになっている。ここで、透光部材１００は、無色透明なので、保留ＬＥＤ２５から出射された光を変色させることなく光出射部１００Ｂから出射することができる。なお、透光部材１００の後端面１００Ｔは、本発明の「入射面」に相当し、光出射部１００Ｂの表面は、本発明の「出射面」に相当する。
【００９７】
より詳細には、嵌合部１００Ａは円柱形状をなしている。嵌合部１００Ａの外面には、透光部材１００の軸線Ｊ方向に延びた係合突条１０３が形成されている。この嵌合部１００Ａが取付部材６０の保留ＬＥＤ収容筒６４Ｔに嵌合すると共に、係合突条１０３が保留ＬＥＤ収容筒６４Ｔの内面に形成された係合溝部６４Ｍと凹凸係合している。これにより、透光部材１００の保留ＬＥＤ収容筒６４Ｔ内における回り止めがなされている。また、透光部材１００に係合突条１０３を設けたことで、透光部材１００は取付部材６０の下装飾ＬＥＤ収容筒６３Ｔに挿入不可能となり、取付け間違いを防止することができる。仮に、下装飾ＬＥＤ収容筒６３Ｔに挿入可能であっても、透光部材１００が回り止めされないことで取り付け間違いを気付かせることができる。なお、これら係合突条１０３及び係合溝部６４Ｍは、本発明の「凹凸部」に相当する。
【００９８】
透光部材１００の後端面１００Ｔには、陥没凹所１０２が形成されている。陥没凹所１０２は、後端面１００Ｔの中心部分に形成され、内面は略球面形状をなしている。そして、透光部材１００の後端面１００Ｔに照射された光は、陥没凹所１０２にて屈折して透光部材１００の内部で側方に向かって広がるようになっている。ここで、本実施形態では、後端面１００Ｔのうち、陥没凹所１０２のほぼ全体に保留ＬＥＤ２５の光が照射されるようになっている。
【００９９】
さて、透光部材１００の前端側に備えた光出射部１００Ｂは、縦長の円錐形状をなしている。換言すれば、光出射部１００Ｂには、透光部材１００の前後方向を向いた軸線Ｊ（図８を参照）に平行な面（遊技盤１１の前面に対して直交する面）は設けられていない。よって、遊技者が前面から光出射部１００Ｂを見た際に、光出射部１００Ｂの表面全体が視認可能となる。従って、透光部材の前端側に軸線Ｊと平行な面を設けた場合と比較すると、遊技者は透光部材１００の発光状態を視認し易くなる。本実施形態では、「出射面」としての光出射部１００Ｂの表面全体が、本発明の「側部発光部」に相当する。また、光出射部１００Ｂの表面は、微細な凹凸を有するつや消し仕上げが施されている。これにより、表面がつや出し仕上げされた場合に比較して、光出射部１００Ｂの表面全体がぼんやりと光るようになっている。ここで、本実施形態の透光部材１００は、底面の直径Ｒが、例えば、５ｍｍとなっており、高さＨが、例えば、１２ｍｍとなっている。なお、光出射部１００Ｂの底面の直径Ｒは４ｍｍ〜６ｍｍで、高さＨは１０ｍｍ〜１５ｍｍであることが好ましい。
【０１００】
透光部材１００のうち、嵌合部１００Ａと光出射部１００Ｂとの境界部分には、側方に張り出したフランジ部１０１が一体形成されている。透光部材１００を取付部材６０に取り付ける際には、このフランジ部１０１が保留ＬＥＤ収容筒６３Ｔの前端開口縁に当接して、光出射部１００Ｂが保留ＬＥＤ収容筒６３Ｔの内部に没入しないようになっている。また、フランジ部１０１が取付部材６０と押さえ部材７０との間で挟持されることで、透光部材１００の前後方向における位置決めがなされると共に、保留ＬＥＤ収容筒６３Ｔからの抜け外れが防止されている。
【０１０１】
本実施形態のパチンコ遊技機１０に関する構成は以上であり、以下動作について説明する。操作ノブ２８を操作して、遊技球が遊技盤１１の遊技領域Ｒ１における上方部分に弾き出されると、それら遊技球は、ランプ風車１７や障害釘等に当たって向きを変えられ、ランダムな経路を通って遊技領域Ｒ１の下方に向かう。
【０１０２】
遊技球が、流下する途中で始動ゲート１８を通過すると、普通図柄表示装置２４にて普通図柄２４Ａ，２４Ｂの変動表示が開始される。そして、普通図柄表示装置２４が普通図柄２４Ａ，２４Ｂを所定時間に亘って変動表示した後、所定の数字図柄で停止表示する。ここで、停止表示した普通図柄２４Ａ，２４Ｂが奇数のぞろ目の場合には、可動翼片１４Ｃ，１４Ｃが横に倒れ、始動入賞口１４に入球し易くなる。
【０１０３】
始動入賞口１４に入球すると、その遊技球は遊技盤１１の裏側に取り込まれ、代わりに所定数（例えば、１０個）の賞球が上皿２７Ａに払い出される。また、表示装置１３において、特別図柄１３Ａ，１３Ｂ，１３Ｃのスクロール表示が開始される。特別図柄１３Ａ，１３Ｂ，１３Ｃは、所定時間に亘ってスクロール表示された後で、１つずつ順次に停止表示される。そして、停止表示された３つの特別図柄１３Ａ，１３Ｂ，１３Ｃが、ぞろ目になると、可動扉１５Ｔが所定期間に亘って前側に倒れて大入賞口１５が開放する。すると、多くの遊技球が可動扉１５Ｔを案内にして大入賞口１５に入球する。大入賞口１５に遊技球が入球すると、その遊技球は遊技盤１１の裏側に取り込まれ、代わりに所定数（例えば、１５個）の賞球が上皿２７Ａに払い出される。
【０１０４】
ところで、普通図柄表示装置２４において普通図柄２４Ａ，２４Ｂが変動表示している間に、始動ゲート１８を遊技球が通過すると、その通過に起因した普通図柄２４Ａ，２４Ｂの変動表示は直ちに行われず、代わりに、普通図柄表示装置２４の側方に備えた保留ＬＥＤ２５が点灯する。具体的には、保留数が増加するに従って４つの保留ＬＥＤ２５が上から順番に点灯していく。
【０１０５】
変動表示中の普通図柄２４Ａ，２４Ｂが停止表示すると、保留中の普通図柄２４Ａ，２４Ｂの変動表示が開始される。このとき、点灯している保留ＬＥＤ２５のうち、最下部の保留ＬＥＤ２５が１つ消灯される。以下、保留中の普通図柄２４Ａ，２４Ｂの変動表示が行われる度に、点灯している保留ＬＥＤ２５が下から順番に消灯する。遊技者は、保留ＬＥＤ２５の点灯数によって、保留されている普通図柄２４Ａ，２４Ｂの変動表示回数を認識することができる。
【０１０６】
さて、保留ＬＥＤ２５からの光は、以下のようにしてパチンコ遊技機１０の前方に出射される。即ち、保留ＬＥＤ２５が点灯すると、その光は、図１０に示すように、取付部材６０の保留ＬＥＤ収容筒６４Ｔの内部を通って、透光部材１００の後端面１００Ｔに照射され、後端面１００Ｔから透光部材１００の内部に入射する。
【０１０７】
透光部材１００の後端面１００Ｔには、略球面状に湾曲した陥没凹所１０２が形成されているので、保留ＬＥＤ２５からの光は、透光部材１００の内部に入射する際に、この陥没凹所１０２の内面において側方に広がるように屈折する。そして、透光部材１００の内部に入射した光は、透光部材１００の内部を通って、パチンコ遊技機１０の前方に突出した光出射部１００Ｂの表面から出射する。
【０１０８】
また、陥没凹所１０２で屈折して透光部材１００の嵌合部１００Ａの外周面に向かった光の少なくとも一部は、嵌合部１００Ａの外周面にて反射され、光出射部１００Ｂの表面から出射する。これにより、光出射部１００Ｂから出射される光をより明るくすることができる。なお、嵌合部１００Ａの外周面は、本発明の「中継反射面」に相当する。
【０１０９】
ここで、透光部材１００を透過した光が出射される光出射部１００Ｂは、円錐形状をなしているので、透光部材１００をその軸線Ｊ方向の前方から見た場合（図５を参照）は勿論、透光部材１００の軸線Ｊ方向に対して斜め側方から見た場合（図３を参照）でも、遊技者は光出射部１００Ｂの表面から出射される光を視認することが可能となる。つまり、透光部材１００の前面側（遊技盤１１の前面側）に対峙して遊技を行う遊技者の体格差や遊技中の姿勢の変化等により遊技者の目の位置が変わっても、常に透光部材１００の発光状態を視認可能となり、普通図柄２４Ａ，２４Ｂの保留数を認識し易くなる。
【０１１０】
また、視認窓４２及び透光部材１００の光出射部１００Ｂの側方は、固定部材８０によって囲まれているので、透光部材１００の周辺部分及び視認窓４２の周辺部分が若干暗くなって、透光部材１００から出射する光や、普通図柄表示装置２４に表示される普通図柄２４Ａ，２４Ｂが相対的に明るく見える。これにより、遊技者は透光部材１００の発光状態をより視認し易くなる。また、透光部材１００から出射された光は、固定部材８０のうち、透光部材１００側を向いた側面８５（図３を参照）に反射するので、透光部材１００の周辺部分において華やかな発光演出を行うことができる。
【０１１１】
このように、本実施形態によれば、透光部材１００の前方と側方との両方から発光状態を視認可能となるので、従来よりも透光部材１００の発光状態が分かり易くなる。また、透光部材１００は、普通図柄２４Ａ，２４Ｂの変動表示の保留数に応じて点灯する保留ＬＥＤ２５の光を受けて発光状態となるので、遊技者は、普通図柄２４Ａ，２４Ｂの変動表示の保留数を認識し易くなる。
【０１１２】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記一実施形態では、パチンコ遊技機１０に本発明を適用していたが、遊技機であれば、コイン遊技機やスロットマシン等に備えてもよい。
【０１１３】
（２）前記実施形態では、透光部材１００の嵌合部１００Ａの外面で透光部材１００に入射した光の少なくとも一部を反射するように構成していたが、嵌合部１００Ａの外側に、透光部材１００に入射した光を反射する光反射部材を配置してもよい。具体的には、図１１に示すように、鏡面を備えたシート状の光反射部材２００を、鏡面が透光部材１００の内側に向くように嵌合部１００Ａの外面と保留ＬＥＤ収容筒６４Ｔの内面との間に挟めばよい。このようにすれば、透光部材１００に入射して嵌合部１００Ａの外面に向かった光のうち、嵌合部１００Ａの外面で反射されずに透過した光が、光反射部材２００で反射されて、再び透光部材１００の内部を通って光出射部１００Ｂに向かうので、光出射部１００Ｂから出射する光をより明るくすることが可能となる。
【０１１４】
（３）前記実施形態では、後端面１００Ｔの陥没凹所１０２の全体に保留ＬＥＤ２５の光が照射されるようにしていたが、後端面１００Ｔの全体に照射されるようにしてもよい。具体的には、図１２に示すように、後端面１００Ｔを透光部材１００の軸線Ｊと直交した平面Ｌに投影した図形Ｓ１が、その平面Ｌに保留ＬＥＤ２５の光を照射したときの照射部分Ｓ２の内側に収まるようにすればよい。このようにすれば、透光部材１００から出射される光をより明るくすることができる。ここで、透光部材１００の軸線Ｊ方向において、照射部分Ｓ２と図形Ｓ１とが整合するように構成すれば、保留ＬＥＤ２５の光が後端面１００Ｔから外れた部位に照射されることをが避けられ無駄がなくなる。
【０１１５】
（４）前記実施形態では、透光部材１００の光出射部１００Ｂを円錐形状としていたが、透光部材１００の軸線を中心として回転対称な他の先細り形状としてもよい。具体的には、図１３の（Ａ）に示すように、円錐台形状としてもよい。この場合、光出射部１００Ｂの表面は、透光部材１００の軸線に直交した前端面１２１とフランジ部１０１から前端面１２１に向かって窄むように傾斜した錐面１２２とから構成され、保留ＬＥＤ２５の光は、これら両面１２１，１２２から出射される。そして、光出射部１００Ｂのうち、前端面１２１が本発明の「前部発光部」に相当し、錐面１２２が本発明の「側部発光部」に相当する。
【０１１６】
また、図１３の（Ｂ）に示すように、段付き状に先細りとなった略円錐形状でもよい。さらに、図１４の（Ａ）に示すように、多角錐形状としてもよいし、図１４の（Ｂ）に示すように、複数の円錐体２１０，２１０を備えた構造或いは、円錐体の前端部が先割れした構造としてもよい。これらの場合も、光出射部１００Ｂの表面のうちの透光部材１００の軸線に対して窄むように傾斜した錐面１２２が本発明の「側部発光部」に相当する。このように、発光素子を透光部材１００の後面側に対向配置し、光出射部１００Ｂを透光部材１００の前後方向に対して斜め側方を向いた側部発光部のみ又は、側部発光部及び透光部材１００の前後方向に対して直交した前部発光部のみで構成したこと（換言すれば、透光部材１００の前後方向を向いた直線（例えば、軸線Ｊ）に平行な面を設けないこと）により、透光部材１００の光出射部１００Ｂにおける発光状態を向上させることができる。なお、光出射部１００Ｂは、軸線Ｊに対して回転対称な形状であったが、上記条件を満たす形状であれば回転対称に限らず回転非対称な形状（例えば、底面の中心を通りかつ底面に直交する直線上に頂点が配置されていない略円錐形状）でもよい。従って、光出射部１００Ｂのデザインを多様にすることができる。
【０１１７】
（５）前記実施形態では、陥没凹所１０２の内面は略球面形状をなしていたが、球面以外の湾曲面（例えば、円錐面）でもよいし、平面（例えば、多角錐面）であってもよい。また、図１５に示すように陥没凹所１０２を複数設けてもよい。
【０１１８】
（６）前記実施形態では、透光部材１００の後端面１００Ｔに陥没凹所１０２を形成していたが、図１６の（Ａ）に示すように、後端面１００Ｔを透光部材１００の軸線Ｊに直交する平面としてもよい。この場合、後端面１００Ｔに直交するように入射した光は、屈折することなくそのまま直進して、光出射部１００Ｂに達する。また、図１６の（Ｂ）に示すように、後端面１００Ｔを保留ＬＥＤ２５側に突出した凸状の湾曲面としてもよい。このようにすれば、後端面１００Ｔから入射した光を、透光部材１００の内側に向けて屈折させることができる。例えば、図１７の（Ａ）に示すように、透光部材１００に入射するまでの間に側方に広がった光を透光部材１００の軸線と略平行な方向に屈折することが可能となる。或いは、図１７の（Ｂ）に示すように、後端面１００Ｔから入射した光を、透光部材１００の内部で集光させてから側方に向けて広げることができる。
【０１１９】
さらに、透光部材１００の後端面１００Ｔを、透光部材１００の軸線Ｊに直交する平面、保留ＬＥＤ２５側に突出した凸状の湾曲面、透光部材１００の前端側に陥没した凹上の湾曲面のうちの、少なくとも２つの面で構成してもよい（図１５を参照）。このようにすれば、透光部材１００の内部における光の進路が複雑となり、光出射部１００Ｂにおける発光状態を向上させることができる。
【０１２０】
（７）前記実施形態では、透光部材１００の後端面１００Ｔと保留ＬＥＤ２５との間は離れていたが、図１８に示すように、後端面１００Ｔのうち陥没凹所１０２の内面に、保留ＬＥＤ２５の先端外面を面接触させてもよい。これにより、保留ＬＥＤ２５を透光部材１００の前後方向を向いた軸線Ｊ上に位置決めすることができる。
【０１２１】
（８）前記実施形態において、透光部材１００は中身が詰まった中実構造をなしていたが、図１９の（Ａ）に示すように、透光部材１００の内部に閉塞された空間部１１１を備えた構造としてもよい。詳細には、空間部１１１は、軸方向における中間部分に形成され、例えば、略楕円球形状をなしている。この空間部１１１により、透光部材１００の内部においても光を屈折させることができる（図１９の（Ｂ）を参照）。ここで、透光部材１００を射出成形すると、その過程で透光部材１００の内部に気泡ができるが、その気泡を空間部１１１とすれば、空間部１１１を設けるために透光部材１００を別途加工する手間が省ける。空間部１１１の形状は、楕円球形状に限るものではなく、他の形状でもよい。また、空間部１１１を複数形成してもよい。
【０１２２】
（９）前記実施形態では、発光素子としてＬＥＤを用いていたが、電球やエレクトロルミネッセンスを用いてもよい。
【０１２３】
（１０）前記実施形態では、保留ＬＥＤ２５の点灯数によって、普通図柄２４Ａ，２４Ｂの変動表示の保留数を表示するようにしていたが、特別図柄１３Ａ，１３Ｂ，１３Ｃの変動表示の保留数を表示するようにしてもよい。
【０１２４】
また、例えば、遊技の状態として、大当たり遊技が行われる確率が１／３１５に設定された通常遊技状態と、通常遊技状態よりも大当たり遊技が行われる確率が高く設定された確率変動状態と備え、通常遊技状態中は発光素子を消灯し、確率変動状態中は発光素子を点灯或いは点滅させて、確率変動状態であることを報知するような構成としてもよい。また、通常遊技状態及び確率変動状態以外の遊技の状態として特別図柄の変動時間が通常遊技状態よりも短く設定された時間短縮状態を備え、時間短縮状態中に発光素子を点灯或いは点滅させて、時間短縮状態であることを報知するような構成としてもよい。さらに、通常遊技状態時は発光素子を消灯し、時間短縮状態時には点滅、確率変動状態時は点灯し続けるような構成としてもよい。また、大当たり遊技中に点灯するようにしてもよい。発光素子の発光パターンは上記したものに限るものではなく、その他の発光パターンとしてもよい。上記構成において、通常遊技状態が本発明の「通常の遊技」に相当し、確率変動状態、時間短縮状態、大当たり遊技が本発明の「特定遊技」に相当する。なお、発光素子及び発光素子の光を受けて発光状態となる透光部材は、「特定遊技」であることを遊技者に報知する報知手段となる。従来の遊技機では、遊技者は現在の遊技状態を認識し難いという問題があったが、上記構成によれば、前方及び側方から発光状態が視認可能な透光部材によって遊技状態が報知されるので、従来の遊技機に比較して、遊技者は現在の遊技状態を認識し易くなる。
【０１２５】
（１１）前記実施形態では、透光部材１００を電飾ユニット４０に設けていたが、他の電飾装置（例えば、ランプ風車１７）に設けてもよい。
【０１２６】
（１２）遊技機裏面側に設けた基板などに発光素子と透光部材とを配置してもよい。例えば、基板に設けて誤作動などが起こった場合に点灯する構成とした場合、点灯していることが認識し難いと、検査する者が誤作動であることを気づかない虞があり、結果、遊技機に不具合が生じる虞がある。本発明では、このような問題も解決することが可能である。
【図面の簡単な説明】
【０１２７】
【図１】本発明の一実施形態に係るパチンコ遊技機の正面図
【図２】パチンコ遊技機の背面図
【図３】電飾ユニットの斜視図
【図４】電飾ユニットの斜視図
【図５】電飾ユニットの正面図
【図６】電飾ユニットの分解斜視図
【図７】電飾ユニットの分解斜視図
【図８】透光部材の側面図
【図９】電飾ユニットの部分断面図
【図１０】電飾ユニットの部分断面図
【図１１】他の実施形態（２）に係る電飾ユニットの部分断面図
【図１２】他の実施形態（３）に係る透光部材及び保留ＬＥＤの斜視図
【図１３】他の実施形態（４）に係る透光部材の側面図
【図１４】他の実施形態（４）に係る透光部材の側面図
【図１５】他の実施形態（５）に係る透光部材の側面図
【図１６】他の実施形態（６）に係る透光部材の側面図
【図１７】他の実施形態（６）に係る透光部材の側面図
【図１８】他の実施形態（７）に係る透光部材の側面図
【図１９】他の実施形態（８）に係る透光部材の側面図
【符号の説明】
【０１２８】
１０    パチンコ遊技機
２５    保留ＬＥＤ（発光素子）
４０    電飾ユニット（電飾装置）
４６    ＬＥＤ回路基板（回路基板）
６０    取付部材
６４Ｍ    係合溝部（凹凸部）
６４Ｔ    保留ＬＥＤ収容筒
７０    押さえ部材
８０    固定部材（壁部材）
１００    透光部材
１００Ｂ    光出射部
１００Ｔ    後端面（入射面）
１０１    フランジ部
１０２    陥没凹所
１０３    係合突条（凹凸部）
１１１    空間部
１２２    錐面（側部発光部）
２００    光反射部材
【図１】
2006223534.tif 000003
【図２】
2006223534.tif 000004
【図３】
2006223534.tif 000005
【図４】
2006223534.tif 000006
【図５】
2006223534.tif 000007
【図６】
2006223534.tif 000008
【図７】
2006223534.tif 000009
【図８】
2006223534.tif 000010
【図９】
2006223534.tif 000011
【図１０】
2006223534.tif 000012
【図１１】
2006223534.tif 000013
【図１２】
2006223534.tif 000014
【図１３】
2006223534.tif 000015
【図１４】
2006223534.tif 000016
【図１５】
2006223534.tif 000017
【図１６】
2006223534.tif 000018
【図１７】
2006223534.tif 000019
【図１８】
2006223534.tif 000020
【図１９】
2006223534.tif 000021